(57)【要約】  蒸発器の除霜を短時間で行うことができる冷凍装置を得る。  冷凍装置（１００）は、圧縮機（１０）と凝縮器（１２）と膨張装置（２４）と蒸発器（２６）とを冷媒配管で接続し、冷媒を循環させる冷媒回路（１００Ａ）を備え、蒸発器を除霜する除霜運転を行うときに、圧縮機で圧縮された冷媒を蒸発器に流入させる流路を形成する流路切替装置（２８）を有し、蒸発器は、２台以上が並列に接続されており、除霜運転を行うときに、全ての蒸発器に圧縮機で圧縮された冷媒を流入させる第１除霜運転を実行し、その後に１台以上の蒸発器に圧縮機で圧縮された冷媒を流入させ且つ他の蒸発器に圧縮機で圧縮された冷媒を流入させない第２除霜運転を実行するものである。
2017130299.tif 000002
【特許請求の範囲】
【請求項１】
圧縮機と凝縮器と膨張装置と蒸発器とを冷媒配管で接続し、冷媒を循環させる冷媒回路を備え、  前記蒸発器を除霜する除霜運転を行うときに、前記圧縮機で圧縮された冷媒を前記蒸発器に流入させる流路を形成する流路切替装置を有し、  前記蒸発器は、２台以上が並列に接続されており、  前記除霜運転を行うときに、全ての前記蒸発器に前記圧縮機で圧縮された冷媒を流入させる第１除霜運転を実行し、その後に１台以上の前記蒸発器に前記圧縮機で圧縮された冷媒を流入させ且つ他の前記蒸発器に前記圧縮機で圧縮された冷媒を流入させない第２除霜運転を実行する、  冷凍装置。
【請求項２】
前記第２除霜運転において、１台の前記蒸発器に前記圧縮機で圧縮された冷媒を流入させ且つ他の前記蒸発器に前記圧縮機で圧縮された冷媒を流入させない、  請求項１に記載の冷凍装置。
【請求項３】
前記第１除霜運転を実行する時間が、前記第２除霜運転を実行する時間よりも短い、  請求項１または請求項２に記載の冷凍装置。
【請求項４】
前記第１除霜運転を実行する時間が、前記第２除霜運転を実行する時間の、３分の１〜５分の１以下である、  請求項３に記載の冷凍装置。
【請求項５】
複数の前記蒸発器が、同一の室内に設置されている、  請求項１〜請求項４の何れか一項に記載の冷凍装置。
【請求項６】
前記圧縮機と前記凝縮器との間から分岐し、前記圧縮機で圧縮された冷媒を前記蒸発器に流入させるバイパス路を有し、  前記流路切替装置が、前記バイパス路に配設されている、  請求項１〜請求項５の何れか一項に記載の冷凍装置。
【請求項７】
前記バイパス路に配設され、当該バイパス路に流れる前記冷媒の圧力を減圧する減圧装置を有する、  請求項６に記載の冷凍装置。
【発明の詳細な説明】
【技術分野】
【０００１】  この発明は、除霜運転を行う冷凍装置に関するものである。
【背景技術】
【０００２】  従来から、除霜運転を行う冷凍装置が知られている（例えば、特許文献１参照）。特許文献１に記載されている従来の冷凍装置では、複数の蒸発器に同時にホットガスを流すことで、複数の蒸発器の除霜を同時に行っている。
【先行技術文献】
【特許文献】
【０００３】
【特許文献１】特開２００９−２８７７８９号公報
【発明の概要】
【発明が解決しようとする課題】
【０００４】  しかしながら、特許文献１に記載されているような従来の冷凍装置では、複数の蒸発器の除霜を同時に行っているため、蒸発器の除霜に長時間を要している。【０００５】  この発明は、上記のような課題を背景としてなされたものであり、蒸発器の除霜を短時間で行うことができる冷凍装置を得ることを目的としている。
【課題を解決するための手段】
【０００６】  この発明に係る冷凍装置は、圧縮機と凝縮器と膨張装置と蒸発器とを冷媒配管で接続し、冷媒を循環させる冷媒回路を備え、前記蒸発器を除霜する除霜運転を行うときに、前記圧縮機で圧縮された冷媒を前記蒸発器に流入させる流路を形成する流路切替装置を有し、前記蒸発器は、２台以上が並列に接続されており、前記除霜運転を行うときに、全ての前記蒸発器に前記圧縮機で圧縮された冷媒を流入させる第１除霜運転を実行し、その後に１台以上の前記蒸発器に前記圧縮機で圧縮された冷媒を流入させ且つ他の前記蒸発器に前記圧縮機で圧縮された冷媒を流入させない第２除霜運転を実行するものである。
【発明の効果】
【０００７】  この発明の冷凍装置によれば、第１除霜運転にて圧縮機から吐出される冷媒の圧力を速やかに上昇させ、その後の第２除霜運転にて蒸発器を選択的に除霜することによって、蒸発器の除霜を短時間で行うことができる。
【図面の簡単な説明】
【０００８】
【図１】この発明の実施の形態１に係る冷凍装置の構成の一例を模式的に記載した図である。
【図２】図１に記載の冷凍装置の動作の一例を説明する図である。
【発明を実施するための形態】
【０００９】  以下、図面を参照して、この発明の実施の形態について説明する。なお、各図中、同一または相当する部分には、同一符号を付して、その説明を適宜省略または簡略化する。また、各図に記載の構成について、その形状、大きさおよび配置等は、この発明の範囲内で適宜変更することができる。
【００１０】実施の形態１．［冷凍装置］  図１は、この発明の実施の形態１に係る冷凍装置の構成の一例を模式的に記載した図である。なお、図１において、冷媒回路１００Ａが実線で記載され、バイパス路１００Ｂが破線で記載されている。図１に記載の冷凍装置１００は、部屋の内部の室内を冷却するものであり、例えば大型の冷凍倉庫に適用される。冷凍装置１００は、室外ユニット１、および室外ユニット１と並列に接続された複数台の室内ユニット２を有している。なお、図１では、第１室内ユニット２ａおよび第２室内ユニット２ｂの２台の室内ユニット２を有する冷凍装置１００が例示されているが、冷凍装置１００は、互いに並列に接続された３台以上の室内ユニット２を有するものであってもよい。なお、以下では、この実施の形態の理解を容易にするために、特に区別したり、特定したりする必要性がないときには、第１室内ユニット２ａおよび第２室内ユニット２ｂを単に室内ユニット２として説明を行う場合もある。また、第１室内ユニット２ａおよび第２室内ユニット２ｂが備える構成要素についても同様に、特に区別したり、特定したりする必要性がないときには、説明を省略または簡略化することがある。すなわち、第１制御装置２０ａおよび第２制御装置２０ｂを単に制御装置２０として説明を行い、第１開閉装置２２ａおよび第２開閉装置２２ｂを単に開閉装置２２として説明を行い、第１膨張装置２４ａおよび第２膨張装置２４ｂを単に膨張装置２４として説明を行い、第１蒸発器２６ａおよび第２蒸発器２６ｂを単に蒸発器２６として説明を行い、第１流路切替装置２８ａおよび第２流路切替装置２８ｂを単に流路切替装置２８として説明を行う場合もある。
【００１１】［室外ユニット］  室外ユニット１は、部屋の外部に設置され、熱源機として機能するものである。室外ユニット１は、冷媒配管で接続された圧縮機１０と凝縮器１２とを有している。圧縮機１０は、冷媒を吸入し圧縮して高温高圧の状態で吐出するものである。圧縮機１０は、例えば、インバータで制御が行われるインバータ圧縮機であり、運転周波数を任意に変化させて、容量（単位時間あたりに冷媒を送り出す量）を変化させることができる。凝縮器１２は、例えば、冷媒を空気と熱交換させることで、冷媒を凝縮させるものである。また、室外ユニット１は、室外ユニット１を制御する制御装置１６を有している。制御装置１６は、アナログ回路もしくはデジタル回路等のハードウェア、または、マイクロコンピュータもしくはＣＰＵ等の演算装置で実行されるプログラム等のソフトウェアを含んで構成されている。
【００１２】［室内ユニット］  室内ユニット２は、部屋の内部に設置され、室内を冷却するものである。複数台の室内ユニット２は、例えば、同一の部屋に設置されている。なお、複数台の室内ユニット２は、異なる部屋に設置されていてもよい。複数台の室内ユニット２のそれぞれは、冷媒配管で接続された開閉装置２２と膨張装置２４と蒸発器２６とを有している。開閉装置２２は、開閉動作することで、冷媒の流通を制御するものである。膨張装置２４は、冷媒を膨張させるものであり、例えば、開度を調整することができる電子膨張弁であるが、開度を調整できない毛細管等であってもよい。なお、膨張装置２４が、開度を調整することができる電子膨張弁等である場合には、開閉装置２２を省略することができる場合もある。蒸発器２６は、冷媒を空気と熱交換させることで、冷媒を蒸発させるものである。冷媒を蒸発させるときの吸熱作用によって、室内が冷却される。また、室内ユニット２は、室内ユニット２を制御する制御装置２０を有している。制御装置２０は、アナログ回路もしくはデジタル回路等のハードウェア、または、マイクロコンピュータもしくはＣＰＵ等の演算装置で実行されるプログラム等のソフトウェアを含んで構成されている。なお、図１の例では、第１室内ユニット２ａが第１制御装置２０ａを有し、第２室内ユニット２ｂが第２制御装置２０ｂを有し、第１制御装置２０ａと第２制御装置２０ｂとが通信を行いながら第１室内ユニット２ａおよび第２室内ユニット２ｂを制御しているが、第１制御装置２０ａと第２制御装置２０ｂとが一体的に形成されていてもよい。また、第１制御装置２０ａと、第２制御装置２０ｂと、室外ユニット１の制御装置１６と、が一体的に形成されていてもよい。
【００１３】［冷媒回路］  室外ユニット１と室内ユニット２とが冷媒配管で接続されることで、冷媒回路１００Ａが形成される。冷媒が、圧縮機１０、凝縮器１２、膨張装置２４、蒸発器２６、の順に、冷媒回路１００Ａを循環することで、蒸発器２６が設置された室内の冷却が行われる。
【００１４】［バイパス路］  また、この実施の形態の例の冷凍装置１００は、冷媒回路１００Ａと接続されたバイパス路１００Ｂを有している。バイパス路１００Ｂは、圧縮機１０の吐出側と凝縮器１２との間から分岐し、圧縮機１０で圧縮された高温高圧の冷媒を蒸発器２６に流入させるものである。この実施の形態の例の冷凍装置１００では、バイパス路１００Ｂは、圧縮機１０と凝縮器１２との間と、膨張装置２４と蒸発器２６との間と、を接続している。バイパス路１００Ｂには、減圧装置１４と流路切替装置２８とが配設されている。
【００１５】  減圧装置１４は、バイパス路１００Ｂに流れる冷媒の圧力を減圧するものであり、例えば室外ユニット１に収容されている。減圧装置１４は、例えばニードル弁であるが、毛細管等であってもよい。この実施の形態の例の冷凍装置１００は、バイパス路１００Ｂに流れる冷媒の圧力を減圧装置１４で減圧して蒸発器２６に流入させているため、耐圧性が低い蒸発器２６を使用することができる。
【００１６】  流路切替装置２８は、バイパス路１００Ｂを介しての、複数の蒸発器２６のそれぞれへの、冷媒の流通を制御するものであり、例えば室内ユニット２に収容されている。なお、流路切替装置２８が、蒸発器２６に流入させる冷媒の圧力を減圧する機能を有するものである場合には、減圧装置１４を省略することができる場合もある。図１の例において、第１流路切替装置２８ａは、第１蒸発器２６ａへの冷媒の流通を制御するものであり、第２流路切替装置２８ｂは、第２蒸発器２６ｂへの冷媒の流通を制御するものである。第１流路切替装置２８ａおよび第２流路切替装置２８ｂは、例えば開閉弁である。
【００１７】［冷却運転］  次に、この実施の形態の例の冷凍装置１００の冷却運転について説明する。冷凍装置１００が冷却運転を行うときには、第１開閉装置２２ａおよび第２開閉装置２２ｂが開状態となっており、第１流路切替装置２８ａおよび第２流路切替装置２８ｂが閉状態となっている。
【００１８】  圧縮機１０で圧縮された高温高圧の冷媒は、凝縮器１２で凝縮されて、室外ユニット１から流出する。室外ユニット１から流出した冷媒は、第１室内ユニット２ａに流入する冷媒と、第２室内ユニット２ｂに流入する冷媒と、に分岐される。第１室内ユニット２ａに流入した冷媒は、第１開閉装置２２ａを通過して、第１膨張装置２４ａで膨張される。第１膨張装置２４ａで膨張された冷媒は、第１蒸発器２６ａを流れながら空気から吸熱することで蒸発する。第１蒸発器２６ａで蒸発した冷媒は、第１室内ユニット２ａから流出して、第２室内ユニット２ｂから流出した冷媒と合流する。合流した冷媒は、室外ユニット１に流入し、圧縮機１０に吸入され、再び圧縮される。また、室外ユニット１から流出して第２室内ユニット２ｂに流入した冷媒は、第２開閉装置２２ｂを通過して、第２膨張装置２４ｂで膨張される。第２膨張装置２４ｂで膨張された冷媒は、第２蒸発器２６ｂを流れながら空気から吸熱することで蒸発する。第２蒸発器２６ｂで蒸発した冷媒は、第２室内ユニット２ｂから流出して、第１室内ユニット２ａから流出した冷媒と合流する。合流した冷媒は、室外ユニット１に流入し、圧縮機１０に吸入され、再び圧縮される。
【００１９】  ところで、冷凍装置１００が冷却運転を行うことによって、蒸発器２６に霜が付着することがある。蒸発器２６に霜が付着すると、蒸発器２６の熱交換効率が低下して、冷凍装置１００の冷凍能力が低下してしまう。そこで、この実施の形態の例の冷凍装置１００は、以下のように動作する。
【００２０】［冷凍サイクル装置の動作］  図２は、図１に記載の冷凍装置の動作の一例を説明する図である。図２のステップＳ０２にて、図１に記載の冷凍装置１００が冷却運転を開始すると、例えば、第１室内ユニット２ａおよび第２室内ユニット２ｂが室内を冷却する。
【００２１】  図２のステップＳ０４にて、例えば、制御装置２０は、１台以上の室内ユニット２の除霜運転条件が成立したか否かを判断する。除霜運転条件が成立したか否かは、例えば、予め設定された設定時刻に到達したか否かで判断される。なお、予め設定された設定周期に到達したときに、除霜運転条件が成立したと判断する場合もある。また、蒸発器２６の温度と、蒸発器２６が設置された室内の温度と、を用いて、蒸発器２６に霜が付着しているか否かを判定することで、除霜運転条件の成立を判断する場合もある。また、スイッチ等の入力装置（図示を省略）に入力されたユーザからの指示を受けたときに、除霜運転条件が成立したと判断する場合もある。ステップＳ０４で全ての室内ユニット２の除霜運転条件が成立していない場合は、冷凍装置１００は冷却運転を継続する。
【００２２】［除霜運転］  ステップＳ０４で１台以上の室内ユニット２の除霜運転条件が成立した場合は、冷凍装置１００は、以下に説明するように除霜運転を実行する。すなわち、この実施の形態の例の冷凍装置１００は、除霜運転において、ステップＳ０８の第１除霜運転を実行し、その後にステップＳ１０の第２除霜運転を実行する。なお、以下では、第１室内ユニット２ａの除霜運転条件が成立しており、第２室内ユニット２ｂの除霜運転条件が成立していない場合の例について説明する。第２室内ユニット２ｂの除霜運転条件が成立し第１室内ユニット２ａの除霜運転条件が成立していない場合の動作は、第１室内ユニット２ａの除霜運転条件が成立し第２室内ユニット２ｂの除霜運転条件が成立していない場合の動作と実質的に同じであるため、説明を省略する。
【００２３】（第１除霜運転）  ステップＳ０６にて、冷凍装置１００は、第１除霜運転を実行する。第１除霜運転では、全ての蒸発器２６に圧縮機１０で圧縮された冷媒を流入させる。すなわち、図１の例では、第１除霜運転を実行するときに、第１開閉装置２２ａおよび第２開閉装置２２ｂが閉状態となっており、第１流路切替装置２８ａおよび第２流路切替装置２８ｂが開状態となっており、圧縮機１０で圧縮された高温高圧の冷媒が、バイパス路１００Ｂを通って、第１蒸発器２６ａおよび第２蒸発器２６ｂに流れる。具体的には、圧縮機１０で圧縮された高温高圧の冷媒は、減圧装置１４で減圧されて、室外ユニット１から流出する。室外ユニット１から流出した冷媒は、第１室内ユニット２ａに流入する冷媒と、第２室内ユニット２ｂに流入する冷媒と、に分岐される。第１室内ユニット２ａに流入した冷媒は、第１流路切替装置２８ａを通過して、第１蒸発器２６ａに流入する。第１蒸発器２６ａに流入した冷媒は、第１蒸発器２６ａを加熱して、第１室内ユニット２ａから流出する。第１室内ユニット２ａから流出した冷媒は、第２室内ユニット２ｂから流出した冷媒と合流する。合流した冷媒は、室外ユニット１に流入し、圧縮機１０に吸入され、再び圧縮される。また、第２室内ユニット２ｂに流入した冷媒は、第２流路切替装置２８ｂを通過して、第２蒸発器２６ｂに流入する。第２蒸発器２６ｂに流入した冷媒は、第２蒸発器２６ｂを加熱して、第２室内ユニット２ｂから流出する。第２室内ユニット２ｂから流出した冷媒は、第１室内ユニット２ａから流出した冷媒と合流する。合流した冷媒は、室外ユニット１に流入し、圧縮機１０に吸入され、再び圧縮される。このように、全ての蒸発器２６に圧縮機１０で圧縮された冷媒を流入させる第１除霜運転を実行することによって、圧縮機１０から吐出される冷媒の圧力が速やかに上昇する。なぜなら、全ての蒸発器２６に圧縮機１０で圧縮された冷媒を流入させる流路を形成することによって、バイパス路１００Ｂの流路抵抗が小さくなる。さらに、全ての蒸発器２６に圧縮機１０で圧縮された冷媒を流入させる流路を形成することによって、蒸発器２６に冷媒が滞留しないため、冷媒が循環する量を増加させることができる。
【００２４】  ステップＳ０８にて、制御装置２０は、第１除霜運転が終了したか否かを判断する。第１除霜運転が終了したか否かは、例えば、圧縮機１０から吐出された冷媒の圧力が、予め設定された設定圧力に到達したか否かで判断される。なお、第１除霜運転が終了したか否かは、圧縮機１０から吐出された冷媒の温度が、予め設定された設定温度に到達したか否かで判断される場合もある。また、第１除霜運転が終了したか否かは、第１除霜運転を実行した第１除霜運転実行時間が、予め設定された設定時間に到達したか否かで判断される場合もある。なお、第１除霜運転が実行される時間は、例えば５〜６分間である。
【００２５】（第２除霜運転）  ステップＳ０８で第１除霜運転が終了したと判断されると、ステップＳ１０にて、第２除霜運転を実行する。第２除霜運転では、除霜運転条件が成立していない室内ユニット２の蒸発器２６には、圧縮機１０で圧縮された冷媒を流入させず、除霜運転条件が成立している室内ユニット２の蒸発器２６のみに、圧縮機１０で圧縮された冷媒を流入させる。例えば、この実施の形態の例では、第１室内ユニット２ａの除霜運転条件が成立しているため、第１開閉装置２２ａ、第２開閉装置２２ｂ、および第２流路切替装置２８ｂが、閉状態となっており、第１流路切替装置２８ａが、開状態となっており、圧縮機１０で圧縮された高温高圧の冷媒が、バイパス路１００Ｂを通って、第１蒸発器２６ａに流れる。具体的には、圧縮機１０で圧縮された高温高圧の冷媒は、減圧装置１４で減圧されて、室外ユニット１から流出する。室外ユニット１から流出した冷媒は、第１室内ユニット２ａに流入し、第１流路切替装置２８ａを通過して、第１蒸発器２６ａに流入する。第１蒸発器２６ａに流入した冷媒は、第１蒸発器２６ａを加熱して、第１室内ユニット２ａから流出する。第１室内ユニット２ａから流出した冷媒は、室外ユニット１に流入し、圧縮機１０に吸入され、再び圧縮される。このように、除霜運転条件が成立している蒸発器２６に圧縮機１０で圧縮された高温高圧の冷媒を流入させ、且つ除霜運転条件が成立していない他の蒸発器２６に圧縮機１０で圧縮された冷媒を流入させない第２除霜運転を実行することによって、除霜運転条件が成立している蒸発器２６の除霜を効率よく行うことができる。
【００２６】  ステップＳ１２にて、制御装置２０は、第２除霜運転が終了したか否かを判断する。第２除霜運転が終了したか否かは、例えば蒸発器２６の温度を用いて、蒸発器２６に霜が付着しているか否かを判定することで判断される。なお、第２除霜運転が終了したか否かは、第２除霜運転を実行した第２除霜運転実行時間が、予め設定された設定時間に到達したか否かで判断される場合もある。第２除霜運転が実行される時間は、例えば２０〜３０分間である。
【００２７】  上記のように、この実施の形態の例では、第１除霜運転を実行する時間が、第２除霜運転を実行する時間よりも短くなっている。その結果、この実施の形態の例では、除霜を行わない蒸発器２６の第１除霜運転での加熱が抑制されるため、蒸発器２６が設置された室内の温度の上昇が抑制される。また、この実施の形態の例では、第１除霜運転および第２除霜運転によって、除霜を行う蒸発器２６の加熱が効率良く行われるため、蒸発器２６が設置された室内の温度の上昇が抑制される。
【００２８】  ステップＳ１２で第２除霜運転が終了したと判断されると、ステップＳ１４にて、冷凍装置１００は、冷却運転を再開して、ステップＳ０４に戻る。すなわち、第１開閉装置２２ａおよび第２開閉装置２２ｂが開状態となり、第１流路切替装置２８ａおよび第２流路切替装置２８ｂが閉状態となり、冷媒が、圧縮機１０、凝縮器１２、膨張装置２４、蒸発器２６、の順に、冷媒回路１００Ａを循環することで、蒸発器２６が設置された室内の冷却が再開される。
【００２９】  上記のように、この実施の形態の例の冷凍装置１００は、圧縮機１０と凝縮器１２と膨張装置２４と蒸発器２６とを冷媒配管で接続し、冷媒を循環させる冷媒回路１００Ａを備え、蒸発器２６を除霜する除霜運転を行うときに、圧縮機１０で圧縮された冷媒を蒸発器２６に流入させる流路を形成する流路切替装置２８を有し、蒸発器２６は、２台以上が並列に接続されており、除霜運転を行うときに、全ての蒸発器２６に圧縮機１０で圧縮された冷媒を流入させる第１除霜運転を実行し、その後に１台以上の蒸発器２６に圧縮機１０で圧縮された冷媒を流入させ且つ他の蒸発器２６に圧縮機１０で圧縮された冷媒を流入させない第２除霜運転を実行するものである。この実施の形態の例の冷凍装置１００では、除霜運転を行うときに、第１除霜運転によって圧縮機１０から吐出される冷媒の圧力を速やかに上昇させ、その後の第２除霜運転にて蒸発器２６を選択的に除霜しているため、除霜運転を短時間で終了させることができる。この実施の形態の例の冷凍装置１００によれば、除霜運転を短時間で終了させることができるため、蒸発器２６が設置された室内の温度の上昇を抑制することができる。その結果、この実施の形態の例の冷凍装置１００によれば、蒸発器２６が設置された室内で冷却されている冷却対象品の品質が劣化するおそれが抑制されている。さらに、この実施の形態の例の冷凍装置１００によれば、除霜運転を短時間で終了させることができるため、除霜運転に要する電力が低減されている。なお、第１除霜運転によって圧縮機１０から吐出される冷媒の圧力を速やかに上昇させる効果は、蒸発器２６が設置された部屋の外部の温度が低いときに特に顕著となる。
【００３０】  例えば、第２除霜運転において、１台の蒸発器２６に圧縮機１０で圧縮された冷媒を流入させ且つ他の蒸発器２６に圧縮機１０で圧縮された冷媒を流入させないことによって、第２除霜運転を実行する時間をさらに短縮することができる。
【００３１】  なお、例えば、複数台の室内ユニット２の除霜運転条件が成立している場合には、除霜運転の優先順位が高い室内ユニット２から順番に、第２除霜運転を実行すればよい。そして、第２除霜運転が終了し、冷却運転を行った後に、除霜運転の優先順位が低い室内ユニット２の除霜運転が実行される。なお、室内ユニット２の除霜運転の優先順位は、例えば予め設定されており、図示を省略してある記憶部に記憶されている。
【００３２】  また、例えば、第１除霜運転を実行する時間は、第２除霜運転を実行する時間よりも短くなっている。例えば、第１除霜運転を実行する時間は、第２除霜運転を実行する時間の、３分の１〜５分の１以下である。第１除霜運転を実行する時間が短くなることによって、除霜を行わない蒸発器２６の第１除霜運転での加熱が抑制されるため、蒸発器２６が設置された室内の温度の上昇が抑制される。さらに、この実施の形態の例では、第１除霜運転および第２除霜運転によって、除霜を行う蒸発器２６の加熱が効率良く行われるため、蒸発器２６が設置された室内の温度の上昇が抑制される。
【００３３】  また、例えば、複数の蒸発器２６は、同一の室内に設置されており、蒸発器２６が設置された室内の温度ムラが抑制される。
【００３４】  また、例えば、圧縮機１０と凝縮器１２との間から分岐し、圧縮機１０で圧縮された冷媒を蒸発器２６に流入させるバイパス路１００Ｂを有し、流路切替装置２８が、バイパス路１００Ｂに配設されている。バイパス路１００Ｂには、バイパス路１００Ｂに流れる冷媒の圧力を減圧する減圧装置１４が配設されており、バイパス路１００Ｂに流れる冷媒の圧力を減圧して蒸発器２６に流入させているため、耐圧性が低い蒸発器２６を使用することができる。
【００３５】  この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【００３６】  例えば、上記では、バイパス路１００Ｂに高温高圧の冷媒を流すことで、蒸発器２６の除霜を行う冷凍装置１００についての説明を行ったが、冷凍装置は、例えば四方弁等の流路切替装置を有し、冷媒回路に流れる冷媒の向きを切り替えて除霜運転を行うリバースデフロストタイプのものであってもよい。リバースデフロストタイプの冷凍装置においても、第１除霜運転と第２除霜運転とを実行することで、蒸発器の除霜を短時間で終了させることができる。
【符号の説明】
【００３７】  １  室外ユニット、２  室内ユニット、２ａ  第１室内ユニット、２ｂ  第２室内ユニット、１０  圧縮機、１２  凝縮器、１４  減圧装置、１６  制御装置、２０  制御装置、２０ａ  第１制御装置、２０ｂ  第２制御装置、２２  開閉装置、２２ａ  第１開閉装置、２２ｂ  第２開閉装置、２４  膨張装置、２４ａ  第１膨張装置、２４ｂ  第２膨張装置、２６  蒸発器、２６ａ  第１蒸発器、２６ｂ  第２蒸発器、２８  流路切替装置、２８ａ  第１流路切替装置、２８ｂ  第２流路切替装置、１００  冷凍装置、１００Ａ  冷媒回路、１００Ｂ  バイパス路。
【図１】
2017130299.tif 000003
【図２】
2017130299.tif 000004
【手続補正書】
【提出日】平成30年5月2日(2018.5.2)
【手続補正１】
【補正対象書類名】明細書
【補正対象項目名】０００６
【補正方法】変更
【補正の内容】
【０００６】
この発明に係る冷凍装置は、それぞれが蒸発器を有する複数の室内ユニットと、圧縮機と凝縮器と膨張装置と複数の前記蒸発器とを冷媒配管で接続し、冷媒を循環させる冷媒回路と、前記蒸発器を除霜する除霜運転を行うときに、前記圧縮機で圧縮された冷媒を前記蒸発器に流入させる流路を形成する流路切替装置と、を有し、全ての前記蒸発器は、前記圧縮機および前記凝縮器と前記冷媒回路を介して並列に接続されており、前記除霜運転を行うときに、全ての前記蒸発器に前記圧縮機で圧縮された冷媒を流入させる第１除霜運転を実行し、その後に１台以上の前記蒸発器に前記圧縮機で圧縮された冷媒を流入させ且つ他の前記蒸発器に前記圧縮機で圧縮された冷媒を流入させない第２除霜運転を実行するものである。
【手続補正２】
【補正対象書類名】特許請求の範囲
【補正対象項目名】全文
【補正方法】変更
【補正の内容】
【特許請求の範囲】
【請求項１】
それぞれが蒸発器を有する複数の室内ユニットと、
圧縮機と凝縮器と膨張装置と複数の前記蒸発器とを冷媒配管で接続し、冷媒を循環させる冷媒回路と、
前記蒸発器を除霜する除霜運転を行うときに、前記圧縮機で圧縮された冷媒を前記蒸発器に流入させる流路を形成する流路切替装置と、を有し、
全ての前記蒸発器は、前記圧縮機および前記凝縮器と前記冷媒回路を介して並列に接続されており、
前記除霜運転を行うときに、全ての前記蒸発器に前記圧縮機で圧縮された冷媒を流入させる第１除霜運転を実行し、その後に１台以上の前記蒸発器に前記圧縮機で圧縮された冷媒を流入させ且つ他の前記蒸発器に前記圧縮機で圧縮された冷媒を流入させない第２除霜運転を実行する、
冷凍装置。
【請求項２】
前記膨張装置が複数設けられ、
前記各室内ユニットが前記膨張装置を有する、請求項１に記載の冷凍装置。
【請求項３】
前記圧縮機と前記凝縮器との間から分岐し、前記圧縮機で圧縮された冷媒を前記各室内ユニットにおける前記蒸発器に流入させるバイパス路をさらに有し、
前記各室内ユニットは、前記バイパス路を介して前記圧縮機から前記蒸発器に流入する冷媒の圧力を減圧する流路切替装置を有する、請求項２に記載の冷凍装置。
【請求項４】
前記圧縮機と前記凝縮器との間から分岐し、前記圧縮機で圧縮された冷媒を前記各室内ユニットにおける前記蒸発器に流入させるバイパス路と、
前記圧縮機から前記バイパス路を流通する冷媒の圧力を減圧する減圧装置と、をさらに有し、
前記各室内ユニットは、前記バイパス路を介して前記減圧装置から前記蒸発器に流入する冷媒の流通を制御する開閉弁を有する、請求項２に記載の冷凍装置。
【請求項５】
前記除霜運転を制御する制御装置をさらに有し、
前記制御装置は、少なくとも１台の前記蒸発器の除霜運転条件が成立すると、全ての前記蒸発器に前記第１除霜運転を実行し、前記第２除霜運転において、前記除霜運転条件が成立する１台以上の前記蒸発器に前記圧縮機で圧縮された冷媒の流入を継続させ、且つ前記除霜運転条件が成立しない他の前記蒸発器に前記圧縮機で圧縮された冷媒の流入を停止させる、請求項１〜請求項４の何れか一項に記載の冷凍装置。
【請求項６】
前記制御装置は、前記第２除霜運転において、１台の前記蒸発器に前記圧縮機で圧縮された冷媒を流入させ且つ他の前記蒸発器に前記圧縮機で圧縮された冷媒を流入させない、
請求項５に記載の冷凍装置。
【請求項７】
前記第１除霜運転を実行する時間が、前記第２除霜運転を実行する時間よりも短い、
請求項１〜請求項６の何れか一項に記載の冷凍装置。
【請求項８】
前記第１除霜運転を実行する時間が、前記第２除霜運転を実行する時間の、３分の１〜５分の１以下である、
請求項７に記載の冷凍装置。
【請求項９】
全ての前記蒸発器が、同一の室内に設置されている、
請求項１〜請求項８の何れか一項に記載の冷凍装置。
【国際調査報告】
2017130299.tif 000005
2017130299.tif 000006
2017130299.tif 000007
2017130299.tif 000008